(57)【特許請求の範囲】
【請求項１】
壁面の上方位置に取り付けられる外筐体と、この外筐体に内蔵される収納庫とで形成され、上記の外筐体が前側に扉を備え、上記の収納庫が相対するリンク部材で外筐体の前側下方の使用位置に回動されて配置自在に形成されている昇降式アッパーキャビネットであって、上記の扉を収納庫の下降時に外方に押し開く開扉手段と、上記の収納庫を自動で昇降回動させる昇降機構とを備え、この昇降機構が、外筐体に設けられた可逆モータと、この可逆モータで収納庫の下降時は巻戻されると共に、収納庫の上昇時は上記開扉手段の外方への押圧力に抗して巻取られて可逆モータの回転力を収納庫の昇降動作と扉の閉塞動作に変換する伝動部材と、又上記の可逆モータを制御するためのコントローラとで形成され、上記の可逆モータが収納庫の背面側中央の上方にあたる外筐体の内部位置に設けられ、この可逆モータで巻取り巻戻される伝動部材が、収納庫の背面側中央の上部を介して一旦後方に返されると共に、滑車を介して前方に反転されて扉に連結されていることを特徴とする昇降式アッパーキャビネット。
【請求項２】
請求項１記載の昇降式アッパーキャビネットであって、扉が、上方に押し開き自在に外筐体に取り付けられると共に、横軸を介して互いに回動自在に縦に連結された上板と下板とで形成されていることを特徴とする昇降式アッパーキャビネット。
【請求項３】
請求項２記載の昇降式アッパーキャビネットであって、外筐体の側板の前側内面に垂直状に案内レールが設けられ、この案内レールに係合して上下方向に案内される係合体が下板の下端の側部に設けられ、この係合体を介して下板の下端が案内レールに拘束されて上下動自在に形成されていることを特徴とする昇降式アッパーキャビネット。
【請求項４】
請求項３記載の昇降式アッパーキャビネットであって、案内レールの上部に対応する外筐体の側板の前側内面位置に、扉が全開されるまで収納庫の下降動作を制止するストッパーが設けられ、このストッパーによる収納庫の制止状態が案内レールに沿って上昇する係合体の上昇動作で解除自在に形成されていることを特徴とする昇降式アッパーキャビネット。
【請求項５】
請求項３又は４記載の昇降式アッパーキャビネットであって、係合体の上昇動作を補助するための補助機構を備え、この補助機構が、係合体に一端が連結された線状部材と、この線状部材の他端に連結されて線状部材を介して係合体を案内レールに沿って上方に牽引する牽引手段とで形成されていることを特徴とする昇降式アッパーキャビネット。
【発明の詳細な説明】
【０００１】
【発明の属する技術分野】
本発明は、昇降式アッパーキャビネットに関し、更に詳しくは台所や洗面室等の上方の壁面に取り付けて使用する昇降式アッパーキャビネットに関するものである。
【０００２】
【従来の技術】
従来この種のキャビネットとしては、例えば本出願人の提案に係る特願２０００−４０４２９号明細書及び図面に記載された発明がある。この従来品は、壁面の上方位置に取り付けられる外筐体と、この外筐体に内蔵される収納庫とで形成され、上記の外筐体が前側に扉を備え、上記の収納庫が相対するリンク部材で外筐体の前側下方の使用位置に自動で回動されて配置自在に形成されているものである。
【０００３】
【発明が解決しようとする課題】
ところで収納庫の昇降動作を自動化したこの種のキャビネットは、扉の開閉操作についても自動化できるのが望ましい。なぜなら扉の開閉操作が手動によるのでは、収納庫を使用する度に煩わしい扉の開け閉めが必要になり、収納庫を自動化したメリットが半減するからである。
【０００４】
而してこの場合、収納庫の昇降用とは別個に、扉の開閉動作専用のモータを設けるのでは、部品数が増加して製造コストが割高になるだけではなく、外筐体の内部スペースを狭小化させるため、収納庫の容量を小さくさせることにもなる。
従ってこの種のキャビネットは、低コストで、しかも収納庫の容量に影響を与えることなく、収納庫の昇降と扉の開閉とを自動化できるよう形成されているのが望ましい。
【０００５】
しかるに従来品は、収納庫の自動昇降に止まるものであったから、部品数を増加させたり、収納庫の容量を小さくさせることなく、収納庫の昇降と扉の開閉の両方を自動化できるこの種キャビネットの出現が従来望まれていた。
【０００６】
本発明は、このような従来の実情に鑑み、提案されたものである。
【０００７】
従って本発明の技術的課題は、部品数を増やすことなく、収納庫の昇降と扉の開閉を自動化できるよう形成した、低廉で使い勝手の良い昇降式アッパーキャビネットを提供することにある。
【０００８】
【課題を解決するための手段】
本発明は、上記の課題を解決するために、次のような技術的手段を採る。
【０００９】
即ち本発明は、図１等に示されるように、壁面１の上方位置に取り付けられる外筐体２と、この外筐体２に内蔵される収納庫５とで形成され、上記の外筐体２が前側に扉３を備え、上記の収納庫５が相対するリンク部材６で外筐体２の前側下方の使用位置に回動されて配置自在に形成されている昇降式アッパーキャビネットであって、上記の扉３を収納庫５の下降時に外方に押し開く開扉手段７と、上記の収納庫５を自動で昇降回動させる昇降機構８とを備え、この昇降機構８が、外筐体２に設けられた可逆モータ８ａと、この可逆モータ８ａで収納庫５の下降時は巻戻されると共に、収納庫５の上昇時は上記開扉手段７の外方への押圧力に抗して巻取られて可逆モータ８ａの回転力を収納庫５の昇降動作と扉３の閉塞動作に変換する伝動部材８ｂと、又上記の可逆モータ８ａを制御するためのコントローラ８ｃとで形成され、上記の可逆モータ８ａが収納庫５の背面側中央の上方にあたる外筐体２の内部位置に設けられ、この可逆モータ８ａで巻取り巻戻される伝動部材８ｂが、収納庫５の背面側中央の上部５ａを介して一旦後方に返されると共に、滑車９を介して前方に反転されて扉３に連結されていることを特徴とする（請求項１）。
【００１０】
ここで外筐体２とは、収納庫５の納まる箇所を意味し、通常、ケース状に形成されている。開扉手段７としては、例えばエアダンパー、コイルバネ、板バネ、ゼンマイ、ゴム等がある。又伝動部材８ｂとしては、例えばベルト、ワイヤ、チェーン等がある。
【００１１】
本発明の場合は、可逆モータ８ａで収納庫５をバランス良く昇降動作させることができ、又可逆モータ８ａが外筐体２の上部に設けられているため、下部に設けられる場合より伝動部材８ｂの張架距離を短くでき、その分、円滑に且つ応答性良く収納庫５を昇降動作させることができる。ここで扉３に連結され、とは、具体的には図２に示されるように、伝動部材８ｂの先端を扉３と外筐体２とに架け渡したリンク１０の枢着部１０ａに連結したり、或いは図６に示されるように、扉３に直接、伝動部材８ｂの先端を連結することで達成される。
【００１２】
又本発明は、図５〜図７に示されるように、扉３が、上方に押し開き自在に形成されると共に、横軸１６を介して互いに回動自在に縦に連結された上板３ａと下板３ｂとで形成されているのが好ましい（請求項２）。
【００１３】
本発明の場合、扉３は観音開き式でも良いが、この本発明品のように形成されるときは、扉３が押し開かれる際、扉３の下板３ｂが上板３ａから吊り下げられた状態で斜め上方に平行状に回動する。
従ってこれによれば、開扉時に扉３の下端が使用者の顔面や頭部に接近することを防止でき、不安や恐怖を使用者に与えることがない。
【００１４】
ここで横軸１６とは、上板３ａと下板３ｂとを互いに回動自在に連結するための、例えば金属の丸棒や蝶番等の部材を意味する。本発明の場合、この横軸１６の位置、即ち上板３ａと下板３ｂの縦の寸法は任意である。但しこの上板３ａと下板３ｂの縦の寸法は、通常、ほぼ同じ状態に選定されるのが好ましい。なぜなら例えば下板３ｂの縦の寸法が上板３ａに比べ極端に短いと、扉３を全開させたとき、下板３ｂの下端の位置が低くなり、外筐体２の前側の開口面積を小さくさせるからである。
【００１５】
又本発明は、図８、図９に示されるように、外筐体２の側板２ｂの前側内面に垂直状に案内レール１７が設けられ、この案内レール１７に係合して上下方向に案内される係合体１８が下板３ｂの下端の側部に設けられ、この係合体１８を介して下板３ｂの下端が案内レール１７に拘束されて上下動自在に形成されているのが好ましい（請求項３）。
【００１６】
なぜならこの場合は、下板３ｂを外筐体２の前方に回動させることなく扉３を開けることができるから、開扉時に使用者が受ける不安や恐怖を一掃できるからである。
【００１７】
又本発明は、図１０等に示されるように、案内レール１７の上部に対応する外筐体２の側板２ｂの前側内面位置に、扉３が全開されるまで収納庫５の下降動作を制止するストッパー１９が設けられ、このストッパー１９による収納庫５の制止状態が案内レール１７に沿って上昇する係合体１８の上昇動作で解除自在に形成されているのが好ましい（請求項４）。
【００１８】
なぜならこの場合は、扉３を全開後、収納庫５を下降させることができるから、開扉動作時の扉３に、下降する収納庫５内の物品が接触し落下する事故を防止できるからである。
【００１９】
又この本発明の場合は、図１５等に示されるように、係合体１８の上昇動作を補助するための補助機構２２を備え、この補助機構２２が、係合体１８に一端が連結された線状部材２２ａと、この線状部材２２ａの他端に連結されて線状部材２２ａを介して係合体１８を案内レール１７に沿って上方に牽引する牽引手段２２ｂとで形成されているのが好ましい（請求項５）。
【００２０】
なぜならこの場合は、補助機構２２によって扉３を円滑に上昇させることができるからである。ここで線状部材２２ａとしては、例えばワイヤ、紐、ベルト、チェーン等がある。又牽引手段２２ｂとしては、ゼンマイ（図１５参照）や重り（図１６参照）がある。
【００２１】
【発明の実施の形態】
以下、本発明の好適な一実施形態を添付図面に従って説明する。
【００２２】
図１等において、１は例えば台所の壁面であり、２はこの壁面１の上方位置に取り付けられた外筐体である。この外筐体２は、上方に押し開き自在に形成された扉３を前側に備え、又この実施形態では下面２ａの全体が開口されて箱形に形成されている。４は、扉３を外筐体２に回動自在に取り付けるための蝶番である。
【００２３】
５は、外筐体２に内蔵された収納庫である。本発明品は、この収納庫５と上記の外筐体２とを備え、収納庫５が相対する両側のリンク部材６で外筐体２の前側下方の使用位置に回動されて配置自在に形成されている。
【００２４】
７は、上記の扉３を、収納庫５の下降時に外方に押し開く開扉手段である。この開扉手段７は、例えばエアダンパーで形成され、扉３の裏面に先端が枢着されると共に、基端が外筐体２の側板２ｂの内面に枢着されている。
【００２５】
８は、上記の収納庫５を自動で昇降回動させる昇降機構である。この昇降機構８は、外筐体２に設けられた可逆モータ８ａと、この可逆モータ８ａで収納庫５の下降時は巻戻されると共に、収納庫５の上昇時は上記開扉手段７の外方への押圧力に抗して巻取られて可逆モータ８ａの回転力を収納庫５の昇降動作と扉３の閉塞動作に変換する伝動部材８ｂと、又上記の可逆モータ８ａを制御するためのコントローラ８ｃとで形成されている。
【００２６】
上記の可逆モータ８ａは、本発明では収納庫５の背面側中央の上方にあたる外筐体２の内部位置に設けられている。この実施形態の場合、可逆モータ８ａはブレーキ機能を備え、運転の停止時における収納庫５の落下を、他の特別な機構を伴うことなく防止できるよう形成されている。
【００２７】
又上記の伝動部材８ｂは、この実施形態ではベルトで構成され、収納庫５の背面側中央の上部５ａを介して一旦後方に返されると共に、滑車９を介して前方に反転され、扉３と外筐体２に架け渡されたリンク１０（図２参照）の枢着部１０ａに連結されている。
【００２８】
又上記のコントローラ８ｃは、各種のスイッチ類からの信号を受けると予め設定された手順で信号を出力する制御回路と、この制御回路からの信号により可逆モータ８ａを駆動させる駆動回路等を備えてなる。各種のスイッチ類としては、収納庫５の前側下部の片側に設けられた、上昇スイッチ１１（図１参照）、下降スイッチ１２、緊急停止スイッチ１３や、外筐体２の側板２ｂの内面に設けられてリンク部材６の回動位置を検知するセンサ１４、１５（図２参照）等がある。
【００２９】
センサ１４は、収納庫５が使用位置に配置されるとコントローラ８ｃに信号を出力し、センサ１５は収納庫５が外筐体２に格納されると検知信号を出力するものである。
【００３０】
次に本発明品の作用を、図４に従って説明する。
【００３１】
収納庫５が外筐体２に格納された状態で（図３参照）、使用者が下降スイッチ１２を入れると、可逆モータ８ａが回転して伝動部材８ｂが巻戻される。すると扉３が、開扉手段７としてのエアダンパーの作用で押し開かれ、同時に収納庫５がリンク部材６で平行状態を保ちながら、且つ伝動部材８ｂとしてのベルトで規制されながら、徐々に自重で下降する。そして収納庫５が使用位置に配置されると（図２の状態参照）、センサ１４からの検知信号がコントローラ８ｃに送られ、コントローラ８ｃからの信号により可逆モータ８ａの駆動が停止する。
【００３２】
次に上昇スイッチ１１を入れると、可逆モータ８ａが逆回転し、開扉手段７としてのエアダンパーの押圧力に抗して伝動部材８ｂが巻取られる。すると収納庫５が上昇し、同時に扉３が徐々に閉じられる。そして収納庫５が外筐体２に格納されると、センサ１５からコントローラ８ｃに検知信号が送られ、この信号を受けるとコントローラ８ｃから可逆モータ８ａに駆動停止信号が送られ、可逆モータ８ａの駆動が停止する。
【００３３】
以上の処において、本発明は、図５〜図７に示されるように、上記の扉３が、横軸１６としての例えば蝶番を介して互いに回動自在に縦に連結された上板３ａと下板３ｂとで形成されているのでも良い。この本発明の場合、その他の部材、構成は、上例と同様であるため、同一の符号を付し、詳しい説明は省略する。
【００３４】
この本発明の場合は、扉３が開扉手段７で押し開かれると、上板３ａが上方に回動し、この上板３ａから下板３ｂが垂れ下がった状態で引き上げられる。従ってこれによると、扉３の回動半径が、扉３が一枚板で形成される場合（図１参照）に比べ短くなるから、扉３の下端を前方へ大きく突き出させることなく安全に開扉させることができる。
【００３５】
又このように扉３を上板３ａと下板３ｂで形成する場合は、図８、図９に示されるように、下板３ｂの下端を案内レール１７に拘束させて上下動自在に形成するのでも良い。案内レール１７は、この実施形態ではリップ溝形鋼状に形成され、外筐体２の側板２ｂの前側内面位置に垂直状に設けられている。又１８は、この案内レール１７に係合して上下方向に案内される係合体である。この係合体１８は、下板３ｂの下端の側部に軸１８ａで回転自在に取り付けられ、案内レール１７に沿って回転しながら円滑に上下動するよう形成されている。
【００３６】
又本発明は、図１０に示されるように、案内レール１７の上部に対応する外筐体２の側板２ｂの前側内面位置に、扉３が全開されるまで収納庫５の下降動作を制止するストッパー１９が設けられるのでも良い。このストッパー１９は、この実施形態では金属板で鉤形に形成され、取付け軸１９ａを中心に外筐体２の側板２ｂの内面に回転自在に設けられている。又ストッパー１９は、コイルバネ２０で下端部１９ｂが外筐体２の奥側に牽引されている。段差状に形成された下端部１９ｂは、収納庫５の側板５ｂに設けられた突起２１に係合され、コイルバネ２０の牽引力で収納庫５は下降動作が制止されている。
【００３７】
この本発明の場合は、係合体１８が上昇し、軸１８ａがストッパー１９の上片１９ｃをコイルバネ２０の牽引力に抗して押し上げると、収納庫５の制止状態が解除される（図１１参照）。その結果収納庫５が下降し、収納庫５が使用位置に配置されると可逆モータ８ａの駆動が停止する（図１２参照）。
【００３８】
この場合上記のストッパー１９は、例えば図１３に示されるように、案内レール１７に沿って上下動自在に形成されているのでも良い。この実施形態のストッパー１９は、案内レール１７の上部の所定位置に案内レール１７に沿って上下動自在に配置され、係合体１８で押し上げられると（図１４参照）、収納庫５に設けられた突起２１との係合状態が解除される。なおこの場合、ストッパー１９の復帰動作は、自重によるのでも、或いはバネの復元力を利用して行なわせるのでも良い。
【００３９】
又本発明は、図１５に示されるように、係合体１８の上昇動作を補助するための補助機構２２を備えてなるのでも良い。この補助機構２２は、この実施形態では係合体１８に一端が連結された線状部材２２ａとしてのワイヤと、この線状部材２２ａの他端に連結されて線状部材２２ａを介して係合体１８を案内レール１７に沿って上方に牽引する牽引手段２２ｂとしての例えばゼンマイとで形成されている。この本発明の場合は、開扉手段７が扉３を押し開く際、牽引手段２２ｂとしてのゼンマイの巻取り力によって係合体１８が引き上げられ、開扉手段７の押圧動作が補助される。
【００４０】
而して牽引手段２２ｂは、その他例えば図１６に示されるように、重りで構成されるのでも良い。この牽引手段２２ｂとしての重りは、線状部材２２ａとしての例えばワイヤの他端に連結され、外筐体２の内面適宜箇所に設けられた滑車２３を介して外筐体２の奥側に吊下げられている。この本発明品の場合は、開扉手段７で扉３が押し開かれると、牽引手段２２ｂとしての重りの下降作用で開扉手段７の押圧動作が補助されるものである。
【００４１】
【発明の効果】
以上説明したように本発明は、扉を収納庫の下降時に外方に押し開く開扉手段と、上記の収納庫を自動で昇降回動させる昇降機構とを備え、この昇降機構の可逆モータで収納庫の昇降動作だけではなく、扉の閉塞動作も行なわせるものである。
【００４２】
従って本発明の場合は、部品数を増やすことなく、収納庫の昇降と扉の開閉の両方を自動化できるから、これによれば使い勝手の良い昇降式アッパーキャビネットを提供できる。
【図面の簡単な説明】
【図１】  本発明キャビネットの好適な一実施形態を示す使用状態時の斜視図である。
【図２】  同上キャビネットの使用状態時の要部断面図である。
【図３】  同上キャビネットの収納庫の格納時における要部断面図である。
【図４】  同上キャビネットの作用を説明するための流れ図である。
【図５】  同上キャビネットの他の実施形態を示す使用状態時の斜視図である。
【図６】  図５に係る本発明品の使用状態時の要部断面図である。
【図７】  図５に係る本発明品の収納庫の格納時における要部断面図である。
【図８】  図５に係る本発明品の他の実施形態を示す使用状態時の要部断面図である。
【図９】  図８のＩＸーＩＸ線における要部断面図である。
【図１０】  図８に係る本発明品の他の実施形態を示す使用状態時の要部断面図である。
【図１１】  図１０に係る本発明品の作用を説明するための要部断面図である。
【図１２】  図１０に係る本発明品の作用を説明するための流れ図である。
【図１３】  図１０に係る本発明品の他の実施形態を示す使用状態時の要部断面図である。
【図１４】  図１３に係る本発明品の作用を説明するための要部断面図である。
【図１５】  図８に係る本発明品の他の実施形態を示す使用状態時の要部断面図である。
【図１６】  図８に係る本発明品の更に他の実施形態を示す使用状態時の要部断面図である。
【符号の説明】
１    壁面
２    外筐体
３    扉
４    蝶番
５    収納庫
６    リンク部材
７    開扉手段
８    昇降機構
８ａ  可逆モータ
８ｂ  伝動部材
８ｃ  コントローラ
【図１】
0003654203.tif 000002
【図２】
0003654203.tif 000003
【図３】
0003654203.tif 000004
【図４】
0003654203.tif 000005
【図５】
0003654203.tif 000006
【図６】
0003654203.tif 000007
【図７】
0003654203.tif 000008
【図８】
0003654203.tif 000009
【図９】
0003654203.tif 000010
【図１０】
0003654203.tif 000011
【図１１】
0003654203.tif 000012
【図１２】
0003654203.tif 000013
【図１３】
0003654203.tif 000014
【図１４】
0003654203.tif 000015
【図１５】
0003654203.tif 000016
【図１６】
0003654203.tif 000017